(57)【要約】【課題】ドレン水の速やかな排水が可能で、ドレン排水穴の凍結を防止し得、寒冷地でもドレン排水を確実にできるようにする。【解決手段】少なくとも熱交換器２が載置される底板１を備え、この底板には、その熱交換器に沿った位置に、導水路形成壁１ｃを立ち上げ形成するとともに、導水路形成壁にて形成される導水路内１ｄに、ドレン排水穴１ｂとこのドレン排水穴まで連続する下向きの傾斜面１ｅを設けて、ドレン水が熱交換器の下部以外には流れないように、かつ導水路形成壁にて底板を補強できるようにする。【選択図】図１
2010054063.tif 000002
【特許請求の範囲】
【請求項１】
少なくとも熱交換器が載置される底板を備え、
該底板には、その熱交換器に沿った位置に、導水路形成壁を立ち上げ形成するとともに、該導水路形成壁にて形成される導水路内に、ドレン排水穴と該ドレン排水穴まで連続する下向きの傾斜面を設けたことを特徴とする空気調和機の室外ユニット。
【発明の詳細な説明】
【技術分野】
【０００１】
本発明は、空気調和機の室外ユニット、特にドレン水の排水構造の改良に関する。
【背景技術】
【０００２】
セパレート型空気調和機の室外ユニットにおいて、暖房運転を行うと、熱交換器ではファンの回転によって熱が奪われる。このとき、熱交換器は空気中の水蒸気を凝縮するので、その表面に霜が付く。時間の経過とともに霜が成長すると霜が邪魔になって通風が阻害され熱の移動が行われなくなる。そのため、熱交換が行われなくなり、室内の暖房ができなくなることがある。そこで、一般に室外機では一定時間、除霜運転を行って霜を溶かし、熱交換を行えるようにしている。以後、暖房運転と除霜運転が繰り返される。
【０００３】
前記除霜運転中は、熱交換器の表面の霜が溶け、ドレン水となって滴下する。そのため、従来より室外ユニットの底板における熱交換器下部位置にドレン水の排水溝を設置し、その排水溝の最も低い部分に水平面部を形成してそこにドレン穴を設け、ドレン水を排水させるようにしている（例えば、特許文献１及び特許文献２参照）。
【０００４】
【特許文献１】特開２００５-１８８８３７号公報（図１）
【特許文献２】特開２０００-２１３７７９号公報（図６，図８）
【発明の開示】
【発明が解決しようとする課題】
【０００５】
このようなものにおいて、滴下するドレン水は、排水溝を伝いドレン穴から外部へ排水されるが、寒冷地等で外気温度が低い場合、ドレン穴に至る途中、特にドレン穴周りの水平面部で凍結し、ドレン穴や排水溝を塞ぐことがある。このような場合、ドレン水を外部へ排水することができなくなるだけでなく、凍結した氷面によって水平面部が更に広がり、ドレン水の流れが悪くなり、内部に残った多量の水はさらに凍結し易くなる。そして何度も暖房運転および除霜運転が繰り返されるたびに、それらが一層成長し、熱交換器の機能を不完全にしたり、室外機内部を損傷したりすることがあった。
【０００６】
本発明は、前記のような課題を解決するためになされたもので、その第１の目的は、ドレン水の速やかな排水が可能で、ドレン排水穴の凍結を防止し得、寒冷地でもドレン排水を確実にできるようにすることにある。
【０００７】
また、本発明の第２の目的は、室外ユニットの底板の深さを浅くできて加工性をよくしながら、強度アップを図ることができるようにすることにある。
【課題を解決するための手段】
【０００８】
本発明に係る空気調和機の室外ユニットは、少なくとも熱交換器が載置される底板を備え、この底板には、その熱交換器に沿った位置に、導水路形成壁を立ち上げ形成するとともに、この導水路形成壁にて形成される導水路内に、ドレン排水穴とこのドレン排水穴まで連続する下向きの傾斜面を設けたものである。
【発明の効果】
【０００９】
本発明の空気調和機の室外ユニットによれば、底板には、その熱交換器に沿った位置に、導水路形成壁を立ち上げ形成するとともに、この導水路形成壁にて形成される導水路内に、ドレン排水穴とこのドレン排水穴まで連続する下向きの傾斜面を設けたので、滴下したドレン水の流速がドレン排水穴に至るまで落ちることがなく、排水経路が集中化し、ドレン排水穴に至る途中で凍結することがない。このため、ドレン排水穴や導水路を塞ぐことを防止できる。また、熱交換器に沿った位置で底板上方向に立ち上げた導水路形成壁は、底板の補強リブとして作用する。このため、底板の深さ方向を深くせずに、加工性をよくしながら、強度アップを図ることが可能となる。
【発明を実施するための最良の形態】
【００１０】
以下、図示実施形態により本発明を説明する。
図１は本発明の一実施形態に係る空気調和機の室外ユニットの底板を示す斜視図、図２はその底板上に熱交換器と圧縮機を取り付けた状態を示す斜視図、図３はその底板上に更に送風機および仕切板を取付けた状態を示す上面図、図４はその室外ユニット全体の外観を示す斜視図である。
【００１１】
本実施形態の空気調和機の室外ユニット１００は、図１乃至図４のように直方体状の鋼板製底板１上に、熱交換器２、圧縮機３、送風機４、及び仕切板５が取付けられ、それらの周囲が周壁６及び天板７で形成される外箱で覆われるようになっている。
【００１２】
底板１は、周縁を取り囲む枠（以下、「周縁枠」という）１ａを有するとともに、その熱交換器２に沿った位置に導水路形成壁１ｃが立ち上げ形成され、この導水路形成壁１ｃと周縁枠１ａにより仕切られて導水路１ｄが形成されており、導水路形成壁１ｃによってドレン水が熱交換器２の下部、つまり導水路１ｄ以外に流れ出さないようになっている。導水路１ｄ内には、ドレン水を外部に排水するための常時開放されたドレン排水穴１ｂと、ドレン排水穴１ｂまで連続する下向きの傾斜面（＝導水路底面）１ｅが設けられている。なお、底板１は全体としてもドレン排水穴１ｂに向かう下向きの傾斜面に形成されている。
【００１３】
また、導水路１ｄ内には、端部やコーナ部などに複数の熱交換器載置台１ｆが形成され、これらの載置台１ｆ上に熱交換器２が載置され固定されるようになっている。載置台１ｆの高さは、近接または接している導水路形成壁１ｃや周縁枠１ａの高さよりも低くなっている。底板１には、前記した周縁枠１ａ、導水路形成壁１ｃ、傾斜面１ｅ、及び熱交換器載置台１ｆがプレス加工によって一体成形されている。
【００１４】
本実施形態の空気調和機において暖房運転を行うと、室外ユニット１００の熱交換器２の表面が着霜状態になる。その霜を溶かすために一定時間、除霜運転が行われる。この除霜運転により溶けた水は、ドレン水となって底板１上の導水路１ｄのドレン排水穴１ｂまで連続する下向きの傾斜面１ｅに滴下し、ドレン排水穴１ｂに導かれる。したがって、滴下したドレン水の流れる速度は速く、かつ集中して熱交換器２の下部のみを流れる。このため、寒冷地等で外気温度が低くても、ドレン水がドレン排水穴１ｂに至る導水路１ｄ上で凍結することがなく、確実に排水できる。
【００１５】
また、設置台１ｆは、近接している導水路形成壁１ｃや周縁枠１ａの高さよりも低く形成されているので、熱交換器２外表面を下方に向かって伝ってくるドレン水が、熱交換器２の下端から確実に導水路１ｄ内に滴下する。
【００１６】
このように、本実施形態の空気調和機の室外ユニットにおいては、ドレン排水穴１ｂに向かって下方に傾斜する斜面を設け、さらにドレン水が熱交換器２の下部以外を流れないように熱交換器２に沿った位置に導水路形成壁１ｃを立ち上げる構造にしたので、排水経路が集中化し、ドレン水の流速が上がり、ドレン排水穴１ｂに至る途中で凍結することがなく、確実に排水することができる。このため、ドレン排水穴１ｂや導水路１ｄが塞がることを防止できる。
【００１７】
また、立ち上げ構造の導水路形成壁１ｃは、底板１の補強リブとして作用する。このため、底板１の深さ方向を深くせずに、鋼板プレス（板金）の加工性をよくしながら、底板１の強度増加を図ることも可能となる。
【図面の簡単な説明】
【００１８】
【図１】本発明の一実施形態に係る空気調和機の室外ユニットの底板を示す斜視図である。
【図２】本発明の一実施形態に係る空気調和機の室外ユニットの底板上に熱交換器と圧縮機を取り付けた状態を示す斜視図である。
【図３】図２の状態から底板上に更に送風機および仕切板を取付けた状態を示す上面図である。
【図４】本発明の一実施形態に係る空気調和機の室外ユニットの全体の外観を示す斜視図である。
【符号の説明】
【００１９】
１  底板、１ｂ  ドレン排水穴、１ｃ  導水路形成壁、１ｄ  導水路、１ｅ  傾斜面、２  熱交換器、１００  室外ユニット。
【図１】
2010054063.tif 000003
【図２】
2010054063.tif 000004
【図３】
2010054063.tif 000005
【図４】
2010054063.tif 000006